(57)【要約】【課題】見たいシーンを特定する際におけるユーザの負担を軽減する。【解決手段】映像再生装置は、記憶装置に記録された映像データを２画面で再生し始めるタイミングを指示するためのタイミング指示を生成するタイミング指示手段と、前記タイミング指示に応じて、前記記憶装置から前記映像データを読み出す読み出し手段と、前記タイミング指示に応じて、前記読み出し手段により読み出された前記映像データを、前記タイミング指示が示すタイミングから時間的順方向及び逆方向に並行して２画面で１つのディスプレイ上に再生表示する表示制御手段とを備える。【選択図】図４
2010161743.tif 000002
【特許請求の範囲】
【請求項１】
記憶装置に記憶された映像データを２画面で再生し始めるタイミングを指示するためのタイミング指示を生成するタイミング指示手段と、
前記タイミング指示に応じて、前記記憶装置から前記映像データを読み出す読み出し手段と、
前記読み出し手段により読み出された前記映像データを、前記タイミング指示が示すタイミングから時間的順方向及び逆方向に並行して２画面で１つのディスプレイ上に再生表示する表示制御手段と、
を備えたことを特徴とする映像再生装置。
【請求項２】
前記表示制御手段は、前記読み出し手段により読み出された前記映像データを、前記タイミング指示が示すタイミングに対して指定された時間前後にずれたタイミングから前記タイミング指示が示すタイミングに近づくように時間的順方向及び逆方向に並行して２画面で１つのディスプレイ上に再生表示する
ことを特徴とする請求項１に記載の映像再生装置。
【請求項３】
前記タイミング指示手段は、
前記映像データが２画面で前記１つのディスプレイ上に表示された状態で操作すべき画面を選択するための選択指示と、
２画面のうち前記選択指示により選択された画面における、再生速度の変更、ポーズ、コマ送り、早送り、及び巻き戻しの少なくとも１つを行うための指示と、
をさらに生成する
ことを特徴とする請求項１に記載の映像再生装置。
【請求項４】
前記タイミング指示手段は、２画面における、再生速度の変更、ポーズ、コマ送り、早送り、及び巻き戻しの少なくとも１つを２画面で同時に行うための指示をさらに生成する
ことを特徴とする請求項１に記載の映像再生装置。
【請求項５】
前記タイミング指示手段は、前記映像データを１画面で再生するための１画面再生指示をさらに生成し、
前記読み出し手段は、前記１画面再生指示に応じて、前記記憶装置から前記映像データを読み出し、
前記表示制御手段は、前記１画面再生指示に応じて、前記映像データを１画面で前記１つのディスプレイ上に表示し、
前記タイミング指示手段は、前記表示制御手段により前記映像データが１画面で前記１つのディスプレイ上に表示された状態でキーボード、マウス、及びボタンが操作されることに応じて、前記タイミング指示を生成する
ことを特徴とする請求項１に記載の映像再生装置。
【請求項６】
前記タイミング指示手段は、前記映像データが１画面で前記１つのディスプレイ上に表示された状態で前記映像データにおける再生タイミングを示すスライダアイコンが操作されることに応じて、前記タイミング指示を生成する
ことを特徴とする請求項５に記載の映像再生装置。
【請求項７】
前記タイミング指示手段は、前記映像データが１画面で前記１つのディスプレイ上に表示された状態で、前記映像データに対して、再生、一時停止、早送り、巻き戻し、コマ送り、及びスロー再生の少なくとも１つを行うための指示をさらに生成する
ことを特徴とする請求項５に記載の映像再生装置。
【請求項８】
前記タイミング指示手段が前記タイミング指示を生成した際における、再生速度、早送り速度、巻き戻し速度、再生タイミング、及び再生時間の少なくとも１つに応じて、前記映像データを１画面で表示する状態から２画面で表示する状態へ切り替えるように、前記表示制御手段を制御する動作制御手段をさらに備えた
ことを特徴とする請求項５から７のいずれか１項に記載の映像再生装置。
【請求項９】
前記動作制御手段は、前記映像データを１画面で表示する状態から２画面で表示する状態へ切り替える際に、前記切り替える前の再生速度、早送り速度、巻き戻し速度、再生タイミング、及び再生時間の少なくとも１つに応じて、前記映像データを２画面で再生表示するための再生速度を変更するように、前記表示制御手段を制御する
ことを特徴とする請求項８に記載の映像再生装置。
【請求項１０】
前記動作制御手段は、前記映像データが２画面で前記１つのディスプレイ上に表示された状態で前記タイミング指示手段が前記タイミング指示を連続して生成しない時間が第１の閾値を超えた場合、前記映像データを２画面で表示する状態から前記切り替える前の再生方向を有した１画面で表示する状態へ切り替えるように、前記表示制御手段を制御する
ことを特徴とする請求項８に記載の映像再生装置。
【請求項１１】
前記動作制御手段は、前記映像データが２画面で前記１つのディスプレイ上に表示された状態で前記タイミング指示手段が前記タイミング指示を連続して生成しない時間が第１の閾値を超えた場合、前記映像データの２画面における再生速度を速くするように、前記表示制御手段を制御する
ことを特徴とする請求項８に記載の映像再生装置。
【請求項１２】
前記動作制御手段は、前記映像データの２画面における再生タイミングが前記映像データにおける先頭又は終端に到達した場合、前記切り替えた際における再生タイミングの前記映像データを２画面でポーズするように、前記表示制御手段を制御する
ことを特徴とする請求項８に記載の映像再生装置。
【請求項１３】
前記動作制御手段は、前記映像データの２画面における再生タイミングが前記映像データにおける先頭又は終端に到達した場合、前記切り替えた際における再生タイミングから前記映像データを２画面でループ再生するように、前記表示制御手段を制御する
ことを特徴とする請求項８に記載の映像再生装置。
【請求項１４】
前記動作制御手段は、前記映像データの２画面における再生タイミングが前記映像データにおける先頭又は終端に到達した場合、前記映像データを２画面で表示する状態から再生の継続されている１画面で表示する状態へ切り替えるように、前記表示制御手段を制御する
ことを特徴とする請求項８に記載の映像再生装置。
【請求項１５】
前記タイミング指示手段は、前記映像データが２画面で前記１つのディスプレイ上に表示された状態で操作すべき画面を選択するための選択指示をさらに生成し、
前記動作制御手段は、前記タイミング指示手段により前記選択指示が生成された際に２画面の少なくとも一方における前記映像データの再生速度が第２の閾値よりも速い場合、前記選択指示により選択した画面における再生タイミングから、再度、前記映像データを時間的順方向及び逆方向に並行して２画面で１つのディスプレイ上に再生表示するように、前記表示制御手段を制御する
ことを特徴とする請求項８に記載の映像再生装置。
【請求項１６】
前記読み出し手段は、前記タイミング指示に応じて、前記記憶装置から音声データをさらに読み出し、
前記映像再生装置は、
前記読み出し手段により読み出された前記音声データを、前記タイミング指示が示すタイミングから時間的順方向に再生される映像に対応してスピーカから出力し、逆方向に再生される映像に対応した音声は出力しないように制御する音声制御手段をさらに備えた
ことを特徴とする請求項１から１５のいずれか１項に記載の映像再生装置。
【請求項１７】
映像再生装置に実行させるための映像再生方法であって、
記憶装置に記憶された映像データを２画面で再生し始めるタイミングを指示するためのタイミング指示を生成する生成ステップと、
前記タイミング指示に応じて、前記記憶装置から前記映像データを読み出す読み出しステップと、
前記読み出しステップで読み出された前記映像データを、前記タイミング指示が示すタイミングから時間的順方向及び逆方向に並行して２画面で１つのディスプレイ上に再生表示する表示制御ステップと、
を備えたことを特徴とする映像再生方法。
【請求項１８】
請求項１７に記載された映像再生方法における各ステップを映像再生装置に実行させる
ことを特徴とする映像再生プログラム。
【発明の詳細な説明】
【技術分野】
【０００１】
本発明は、映像再生装置、映像再生方法、及び映像再生プログラムに関する。
【背景技術】
【０００２】
ユーザは、撮影した映像から見たいシーンを頭出ししてから再生する際に、再生装置により映像を早送りや巻き戻しで再生表示しながら見たいシーン付近で再生ボタンを押す。これにより、再生装置は、再生ボタンが押された瞬間に再生していたタイミングの映像を、撮影時と同様のフレームレートで再生表示しようとする。ここで、ユーザが再生ボタンを押すタイミングと再生ボタンが押されたことを再生装置が認識するタイミングとに時間的なずれがあるため、再生装置は、再生ボタンが押されたタイミングからずれたタイミングの映像を再生表示することになる。
【０００３】
これに対して、特許文献１には、特許文献１の図３に示すように、動画の早送り／巻き戻しを行ってから所望のコマ４１／４６で早送り／巻き戻しを停止させた後、通常再生開始時に所定のコマ分遡及／前送りすようにすることが記載されている。具体的には、時間ｔ１に早送りで動画表示されたコマ画像４１をユーザが見つけて（認識して）直ちに停止ボタンを押したとする。この場合、ユーザがコマ画像４１を画面上で認識した時間とカメラ本体１が停止指示を認識した時間との間にΔｔのずれが生じるため、動画が停止した時点ではコマ画像４１はＫコマだけ進み過ぎてしまい、画面にはＫコマ後のコマ画像４２が静止表示される。そこで、再生開始時に再生開始位置をＫコマ分遡らせるようにする。これにより、特許文献１によれば、ユーザが開始したいと思うコマ画像４１に近いコマ画像から再生することができるとされている。
【０００４】
特許文献２には、特許文献２の図１に示すように、ビデオ・カメラ１４の出力映像をリアルタイムで再生表示する現在モードと、ビデオ・サーバ１２に蓄積された映像データ・ファイルを再生表示する過去モードとを具備するカメラシステムが記載されている。具体的には、現在モードが起動されると、まず、Ｔｓを設定するとともに、過去の映像の時刻を示す変数ｔｐに現在時刻を設定する。そして、特許文献２の図６に示すように、ビットマップ・ディスプレイ２６上に表示されたメイン・ウィンドウ４０にリアルタイムで映像を表示し続ける。そして、特許文献２の図２に示すように、Ｔｓによって指定された時間が経過すると、時刻ｔｐでのフレーム画像を、ビットマップ・ディスプレイ２６上に表示されたサブ・ウィンドウ４６，４８に表示する。これにより、特許文献２によれば、現在映像で注目すべき現象があったときに、過去の映像で細かく確認できるとされている。
【特許文献１】特開２００７-２４３６３０号公報
【特許文献２】特許第０３５６５４４５号公報
【発明の開示】
【発明が解決しようとする課題】
【０００５】
特許文献１の技術では、ユーザが開始したいと思うコマ画像４１より時間的に後のコマ画像から再生が開始される可能性がある。例えば、ユーザがコマ画像４１を早送り画面上で認識して早送りの停止ボタンを押した際に、動画が停止した時点ではコマ画像４１はＫ＋１コマだけ進み過ぎてしまうことがある。この場合、再生開始時に再生開始位置をＫコマ分遡らせても、その後の再生画面にはコマ画像４１が表示されない。すなわち、ユーザが開始したいと思うコマ画像４１が再生されないので、ユーザが開始したいと思うコマ画像４１を再度探す必要が生じる。これにより、ユーザが開始したいと思うコマ画像４１を特定する際におけるユーザの負担が増大する。
【０００６】
特許文献２の技術では、特許文献２の図２に示すように、現在から時間Ｔｓ以上前の映像データがサブ・ウィンドウ４６，４８に表示されない。これにより、注目すべき現象が現在から時間Ｔｓ以上前に発生していた場合、閲覧者は、注目すべき現象を過去の映像で確認できない。この場合、注目すべき現象を閲覧者が再度探す必要が生じる。これにより、注目すべき映像を特定する際における閲覧者の負担が増大する。
【０００７】
本発明の目的は、見たいシーンを特定する際におけるユーザの負担を軽減することにある。
【課題を解決するための手段】
【０００８】
本発明の第１側面に係る映像再生装置は、記憶装置に記憶された映像データを２画面で再生し始めるタイミングを指示するためのタイミング指示を生成するタイミング指示手段と、前記タイミング指示に応じて、前記記憶装置から前記映像データを読み出す読み出し手段と、前記タイミング指示に応じて、前記読み出し手段により読み出された前記映像データを、前記タイミング指示が示すタイミングから時間的順方向及び逆方向に並行して２画面で１つのディスプレイ上に再生表示する表示制御手段とを備えたことを特徴とする。
【０００９】
本発明の第２側面に係る映像再生方法は、映像再生装置に実行させるための映像再生方法であって、記憶装置に記憶された映像データを２画面で再生し始めるタイミングを指示するためのタイミング指示を生成する生成ステップと、前記タイミング指示に応じて、前記記憶装置から前記映像データを読み出す読み出しステップと、前記タイミング指示に応じて、前記読み出しステップで読み出された前記映像データを、前記タイミング指示が示すタイミングから時間的順方向及び逆方向に並行して２画面で１つのディスプレイ上に再生表示する表示制御ステップとを備えたことを特徴とする。
【００１０】
本発明の第３側面に係る映像再生プログラムは、本発明の第２側面に係る映像再生方法における各ステップを映像再生装置に実行させること特徴とする。
【発明の効果】
【００１１】
本発明によれば、見たいシーンを特定する際におけるユーザの負担を軽減することができる。
【発明を実施するための最良の形態】
【００１２】
本発明の第１実施形態に係る映像再生装置１００を、図１を用いて説明する。図１は、本発明の第１実施形態に係る映像再生装置１００の構成を示す図である。
【００１３】
映像再生装置１００は、映像データを再生するための装置であり、例えば、デジタルカメラ、ビデオカムコーダ、コンピュータ、ビデオプレーヤーなどである。映像再生装置１００は、ハードディスク（ＨＤＤ）１３０、操作部１７０、内部メモリ１２０、メディアドライブ１４０、ディスプレイ１５０、スピーカ１６０、演算処理装置（ＣＰＵ）１１０、及び内部バス１８０を備える。ＨＤＤ１３０、操作部１７０、内部メモリ１２０、メディアドライブ１４０、ディスプレイ１５０、スピーカ１６０、及びＣＰＵ１１０は、内部バス１８０を介して互いに通信可能に接続されている。
【００１４】
ＨＤＤ（記憶装置）１３０及び／又は外部メディア（記憶装置）１９０には、映像データが記憶されている。映像データは、例えば、所定の被写体を撮影した映像のデータである。また、ＨＤＤ１３０には、映像再生処理プログラム（アプリケーションプログラム又はファームウェア）が、ＣＰＵ１１０により読み取り可能なプログラムコードとして格納されている。
【００１５】
なお、下記の実施形態では、再生タイミングの指示に応じて、ＨＤＤ１３０や外部メディア１９０に記憶されている映像データを読み出すようにしているが、これに限るものではない。
【００１６】
例えば、ＨＤＤ１３０や外部メディア１９０に記憶されている映像データを、予め内部メモリ１２０に格納しておき、再生タイミングの指示に応じてこの内部メモリ内の映像データを読み出すようにしてもよい。
【００１７】
操作部１７０は、ユーザから所定の指令を受け付け、受け付けた指令をＣＰＵ１１０へ供給する。例えば、操作部１７０は、映像再生処理プログラムの起動指令をユーザから受け付け、受け付けた起動指令をＣＰＵ１１０へ供給する。あるいは、例えば、操作部１７０は、映像データを１画面で再生するための１画面再生指令を受け付け、受け付けた１画面再生指令をＣＰＵ１１０へ供給する。あるいは、例えば、操作部１７０は、映像データを２画面で再生し始めるタイミングを指定するためのタイミング指令を受け付け、受け付けたタイミング指令をＣＰＵ１１０へ供給する。
【００１８】
ＣＰＵ１１０は、起動指令を操作部１７０から受ける。ＣＰＵ１１０は、起動指令に応じて、映像再生処理プログラムをＨＤＤ１３０から内部メモリ１２０へロードする。これにより、ＣＰＵ１１０は、映像再生処理プログラムに応じて所定の処理を行なう。
【００１９】
また、ＣＰＵ１１０は、タイミング指示部１１０ａ、読み出し部１１０ｂ、表示制御部１１０ｃ、動作制御部１１０ｄ、及び音声制御部１１０ｅを含む。
【００２０】
タイミング指示部１１０ａは、１画面再生指令を操作部１７０から受ける。タイミング指示部１１０ａは、１画面再生指令に応じて、映像データを１画面で再生するための１画面再生指示を生成する。タイミング指示部１１０ａは、１画面再生指示を読み出し部１１０ｂ及び表示制御部１１０ｃへ供給する。
【００２１】
タイミング指示部１１０ａは、タイミング指令を操作部１７０から受ける。タイミング指示部１１０ａは、タイミング指令に応じて、ＨＤＤ１３０及び／又は外部メディア１９０に記憶された映像データを２画面で再生し始めるタイミングを指示するためのタイミング指示を生成する。タイミング指示部１１０ａは、タイミング指示を読み出し部１１０ｂ及び表示制御部１１０ｃへ供給する。
【００２２】
また、タイミング指示部１１０ａは、映像データが２画面で１つのディスプレイ１５０上に表示された状態で操作すべき画面を選択するための選択指示をさらに生成してもよい。タイミング指示部１１０ａは、２画面のうち選択指示により選択された画面における、再生速度の変更、ポーズ、コマ送り、早送り、及び巻き戻しの少なくとも１つを行うための指示をさらに生成してもよい。
【００２３】
あるいは、タイミング指示部１１０ａは、２画面における、再生速度の変更、ポーズ、コマ送り、早送り、及び巻き戻しの少なくとも１つを２画面で同時に行うための指示をさらに生成してもよい。
【００２４】
読み出し部１１０ｂは、１画面再生指示又はタイミング指示に応じて、ＨＤＤ１３０から内部メモリ１２０へ映像データを読み出す。あるいは、読み出し部１１０ｂは、１画面再生指示又はタイミング指示に応じて、外部メディア１９０からメディアドライブ１４０経由で内部メモリ１２０へ映像データを読み出す。
【００２５】
また、読み出し部は、１画面再生指示又はタイミング指示に応じて、ＨＤＤ１３０及び／又は外部メディア１９０から音声データをさらに読み出す。
【００２６】
表示制御部１１０ｃは、１画面再生指示に応じて、読み出し部１１０ｂにより読み出された映像データを１画面で１つのディスプレイ１５０上（ディスプレイ上）に表示する。
【００２７】
このとき、タイミング指示部１１０ａは、表示制御部１１０ｃにより映像データが１画面で１つのディスプレイ１５０上に表示された状態でキーボード、マウス、及びボタンが操作されることに応じて、タイミング指示を生成する。あるいは、タイミング指示部１１０ａは、映像データが１画面で１つのディスプレイ１５０上に表示された状態で映像データにおける再生タイミングを示すスライダアイコンが操作されることに応じて、タイミング指示を生成する。
【００２８】
また、タイミング指示部１１０ａは、映像データが１画面で１つのディスプレイ１５０上に表示された状態で、映像データに対して、再生、一時停止、早送り、巻き戻し、コマ送り、及びスロー再生の少なくとも１つを行うための指示を生成する。
【００２９】
表示制御部１１０ｃは、タイミング指示に応じて、読み出し部１１０ｂにより読み出された映像データを、タイミング指示が示すタイミングから時間的順方向及び逆方向に並行して２画面で１つのディスプレイ１５０上に再生表示する。あるいは、表示制御部１１０ｃは、タイミング指示に応じて、読み出し部１１０ｂにより読み出された映像データを、次のように１つのディスプレイ１５０上に再生表示する。表示制御部１１０ｃは、タイミング指示が示すタイミングに対して指定された時間前後にずれたタイミングからタイミング指示が示すタイミングに近づくように時間的順方向及び逆方向に並行して２画面で１つのディスプレイ１５０上に再生表示する。
【００３０】
動作制御部１１０ｄは、表示制御部１１０ｃの動作を制御する。
【００３１】
例えば、動作制御部１１０ｄは、タイミング指示部１１０ａがタイミング指示を生成した際における、再生速度、早送り速度、巻き戻し速度、再生タイミング、及び再生時間の少なくとも１つに応じて、次の制御を行う。動作制御部１１０ｄは、映像データを１画面で表示する状態から２画面で表示する状態へ切り替えるように、表示制御部１１０ｃを制御する。
【００３２】
例えば、動作制御部１１０ｄは、映像データを１画面で表示する状態から２画面で表示する状態へ切り替える際に、切り替える前の再生速度、早送り速度、巻き戻し速度、再生タイミング、及び再生時間の少なくとも１つに応じて、次の制御を行う。動作制御部１１０ｄは、映像データを２画面で再生表示するための再生速度を変更するように、表示制御部１１０ｃを制御する。
【００３３】
例えば、動作制御部１１０ｄは、映像データが２画面で１つのディスプレイ１５０上に表示された状態でタイミング指示部１１０ａがタイミング指示を連続して生成しない時間が第１の閾値を超えた場合、次の制御を行う。動作制御部１１０ｄは、映像データを２画面で表示する状態から、切り替える前の再生方向を有した１画面で表示する状態へ切り替えるように、表示制御部１１０ｃを制御する。
【００３４】
例えば、動作制御部１１０ｄは、映像データが２画面で１つのディスプレイ１５０上に表示された状態でタイミング指示部１１０ａがタイミング指示を連続して生成しない時間が第１の閾値を超えた場合、次の制御を行う。動作制御部１１０ｄは、映像データの２画面における再生速度を速くするように、表示制御部１１０ｃを制御する。
【００３５】
例えば、動作制御部１１０ｄは、映像データの２画面における再生タイミングが映像データにおける先頭又は終端に到達した場合、次の制御を行う。動作制御部１１０ｄは、映像データを１画面で表示された状態から２画面で表示された状態へ切り替えた際における再生タイミングの映像データを２画面でポーズするように、表示制御部１１０ｃを制御する。
【００３６】
例えば、動作制御部１１０ｄは、映像データの２画面における再生タイミングが映像データにおける先頭又は終端に到達した場合、次の制御を行う。動作制御部１１０ｄは、映像データを１画面で表示された状態から２画面で表示された状態へ切り替えた際における再生タイミングから映像データを２画面でループ再生するように、表示制御部１１０ｃを制御する。
【００３７】
例えば、動作制御部１１０ｄは、映像データの２画面における再生タイミングが映像データにおける先頭又は終端に到達した場合、次の制御を行う。動作制御部１１０ｄは、映像データを２画面で表示する状態から再生の継続されている１画面で表示する状態へ切り替えるように、表示制御部１１０ｃを制御する。
【００３８】
例えば、動作制御部１１０ｄは、タイミング指示部１１０ａにより選択指示が生成された際に２画面の少なくとも一方における映像データの再生速度が第２の閾値よりも速い場合、次の動作を行う。動作制御部１１０ｄは、選択指示により選択した画面における再生タイミングから、再度、映像データを時間的順方向及び逆方向に並行して２画面で１つのディスプレイ１５０上に再生表示する。
【００３９】
また、読み出し部１１０ｂは、タイミング指示に応じて、ＨＤＤ１３０及び／又は外部メディア１９０から音声データをさらに読み出す。
【００４０】
音声制御部１１０ｅは、タイミング指示に応じて、読み出し部１１０ｂにより読み出された音声データを、タイミング指示が示すタイミングから時間的順方向に再生している映像に合わせてスピーカ１６０に再生出力する。一方、逆方向再生の映像に対応した音声は出力しない。なぜなら、逆方向に音声を再生しても認識字面意だけでなく、順方向に再生している音声の邪魔になってしまうからである。
【００４１】
このように、タイミング指示が示すタイミングから時間的順方向及び逆方向に並行して映像データを２画面で１つのディスプレイ上に再生表示するので、ユーザは、映像データを指定されたタイミングから時間的順方向及び逆方向に並行して確認することができる。これにより、見たいシーンを特定する際におけるユーザの負担を軽減することができる。
【００４２】
次に、第１実施形態に係る映像再生装置１００の映像再生処理プログラムに応じた動作、図２〜図４を用いて説明する。図２は、本発明の第１実施形態に係る映像再生装置１００の動作を示すフローチャートである。図３及び図４は、本発明の第１実施形態に係る映像再生装置１００により表示される画面を示す図である。
【００４３】
ステップＳ２１０では、ＣＰＵ１１０が、映像再生処理プログラムの初期画面表示を行う。具体的には、ＣＰＵ１１０は、操作部１７０から起動指令を受ける。ＣＰＵ１１０は、起動指令に応じて、映像再生処理プログラムをＨＤＤ１３０から内部メモリ１２０へロードする。これにより、ＣＰＵ１１０は、映像再生処理プログラムを起動して、図１のディスプレイ１５０上に、図３の画面を表示する。図３において、３−１および３−２は、映像データのサムネイル、３−３は、終了ボタン、３−４は、映像データのサムネイル表示エリアである。
【００４４】
ユーザは、図１の操作部１７０を用いてこのプログラムを操作することが出来る。操作部１７０は、マウス、キーボード、タッチパネルなど一般的に使用されているものを使用する。映像再生処理プログラム起動直後におけるディスプレイ１５０上には、図１のＨＤＤ１３０や外部メディア１９０の中にある映像データのサムネイルが表示された状態となっている。
【００４５】
ステップＳ２２０では、ＣＰＵ１１０が、再生すべき映像データが選択されたかどうかを判断する。ユーザは、映像データのサムネイル表示エリア３−４上に表示されている映像データ３−１、３−２を選択する。操作部１７０は、マウスによるダブルクリックなどの選択操作に応じて、選択指令を受け付け、受け付けた選択指令をＣＰＵ１１０へ供給する。ＣＰＵ１１０は、選択指令を受け取った場合、再生すべき映像データが選択されたと判断して、処理をステップＳ２３０に移動する。ＣＰＵ１１０は、選択指令を受け取らなかった場合、再生すべき映像データが選択されなかったと判断して、処理をステップＳ２２０に移動する。
【００４６】
ステップＳ２３０では、ＣＰＵ１１０が、ステップＳ２２０で選択した映像データを再生する処理を行う。具体的には、ＣＰＵ１１０は、図１のディスプレイ１５０上に、図４の（ａ）の画面を表示する。図４上の（ａ）の４−ａ１は、映像データの表示領域である。領域４−ａ２は、再生のコントロールボタンである。図中左から巻き戻しボタン、一時停止ボタン、再生ボタン、早送りボタンである。図４の（ａ）では、再生ボタン押されてハイライト表示された状態となっている。
【００４７】
ステップＳ２４０では、操作部１７０が、ユーザが見たいシーンを探す操作を受け付ける。この操作は、領域４−ａ２の、再生のコントロールボタンで早送り、巻き戻し等の一般的に使用されている操作で行われる。ボタン操作だけでなく、スライダアイコンを用意し見たいシーンを探すようにしてもよい。
【００４８】
ステップＳ２５０では、ＣＰＵ１１０が、２画面で映像データを異なる再生方向で表示するタイミング指示が生成されたかどうかを判断する。
【００４９】
例えば、ＣＰＵ１１０は、映像データを１画面で早送り表示している状態で、タイミング指令としての再生操作を操作部１７０から受けた場合、受けたタイミング指令に応じて、タイミング指示を生成する。このタイミング指示には、早送り中の再生操作、専用のボタンによる操作、スライダでの選択操作を後述するが、それ以外の方法でもよい。
【００５０】
ＣＰＵ１１０は、タイミング指示が生成されたと判断した場合、処理をステップＳ２６０へ進め、タイミング指示が生成されていないと判断した場合、処理をステップＳ２８０へ進める。
【００５１】
ステップＳ２６０では、ＣＰＵ１１０が、図１のディスプレイ１５０上に、図４の（ｂ）の画面（２画面）を表示する。図４上の（ｂ）の４−ｂ１は、映像の表示領域である。
【００５２】
領域４−ｂ２は、ステップＳ２５０が行われたときに表示していた映像の位置から時間に対して過去の位置へ時間的逆方向に映像データの再生表示を行う領域である。
【００５３】
領域４−ｂ３は、ステップＳ２５０が行われたときに表示していた映像の位置から時間に対して未来の位置へ時間的順方向に映像データの再生表示を行う領域である。
【００５４】
領域４−ｂ４は、再生のコントロールボタンである。図中左からスローボタン、一時停止ボタン、再生ボタン、早送りボタンである。図４の（ｂ）では、再生ボタンが押されハイライト表示された状態となっている。領域４−ｂ４の再生のコントロールボタンを押下することで、２画面の映像を同時に制御することが出来る。コマ送りボタンを配置し、コマ送り操作を出来るようにしてもよい。２画面で映像データを異なる再生方向で表示しているときの音の再生は、順方向のみの再生とする。特に図示しないが、音を無音にする操作手順を提供し無音に出来るようにしても良い。または、それ以外の方法でも良い。
【００５５】
このステップでは、ＣＰＵ１１０が、映像データを、タイミング指示が示すタイミングから時間的順方向及び逆方向に並行して２画面で１つのディスプレイ上に再生表示する処理を行なう。この処理の詳細は、後述する。
【００５６】
ステップＳ２７０では、ＣＰＵ１１０が、映像データを１画面で再生表示する。
【００５７】
ステップＳ２８０では、ＣＰＵ１１０が、終了ボタン３−３（図３参照）が押されたかどうかを判断する。ＣＰＵ１１０は、終了ボタン３−３が押されたと判断した場合、処理（映像再生処理プログラム）を終了し、終了ボタン３−３が押されなかったと判断した場合、処理をステップＳ２４０に戻す。
【００５８】
ステップＳ２４０からステップＳ２８０のルーチンを繰り返すことにより、ユーザは、映像データを指定されたタイミングから時間的順方向及び逆方向に並行して繰り返し確認することができる。これにより、見たいシーンを特定する際におけるユーザの負担を軽減することができる。
【００５９】
続いて、映像データを、タイミング指示が示すタイミングから時間的順方向及び逆方向に並行して２画面で１つのディスプレイ上に再生表示する処理（ステップＳ２６０）について、図５及び図６を用いて説明する。図５は、図２のステップＳ２６０における処理の詳細を示す図である。図６は、本発明の第１実施形態に係る映像再生装置１００により表示される画面を示す図である。
【００６０】
図６の（ａ）は、図２のステップＳ２３０における映像データを１画面で再生表示している画面である。領域６−ａ１は、再生のコントロールボタンである。図中左から巻き戻しボタン、一時停止ボタン、再生ボタン、早送りボタンである。図６の（ａ）では、再生ボタンが押されハイライト表示された状態となっている。ユーザは、これらのボタンを操作し見たいシーンを検索することが出来る。領域６−ａ２は、再生中の映像を表示する領域である。
【００６１】
図６の（ｂ）は、図２のステップＳ２４０におけるユーザが早送り操作で見たいシーンを探している画面である。領域６−ｂ２は、再生のコントロールボタンである。図中左から巻き戻しボタン、一時停止ボタン、再生ボタン、早送りボタンである。図６の（ｂ）では、早送りボタンが押されハイライト表示された状態となっている。本実施形態では、図２のステップＳ２５０において、早送り中に再生ボタン６−ｂ２が押されたことに応じて、ＣＰＵ１１０が、タイミング指示を生成して、処理をステップＳ２６０へ進める。
【００６２】
ステップＳ５１０では、ＣＰＵ１１０が、タイミング指示を生成したとき再生していた映像データにおけるタイミングから、映像データを時間的逆方向及び順方向に２画面で再生表示し始める。このとき、１つのディスプレイ１５０上は、図６の（ｂ）の表示から図６の（ｃ）の表示となる。領域６−ｃ１は、再生方向の異なる２画面を表示する領域である。領域６−ｃ２は、時間的逆方向の再生を行う画面を表示する領域である。領域６−ｃ３は、時間的順方向の再生を行う画面を表示する領域である。領域６−ｃ４は、再生のコントロールボタンである。図中左からスローボタン、一時停止ボタン、再生ボタン、早送りボタンであり、再生ボタン押された状態となっている。領域６−ｃ４の再生のコントロールボタンを押下することで、２画面の映像を同時に制御することが出来る。２画面で映像データを異なる再生方向で表示しているときの音の再生は、順方向のみの再生する。または、それ以外の方法でも良い。２画面で早送り操作中にユーザが指示した位置から異なる再生方向で映像を再生することでユーザが実際に見たいシーンの手前で指示を出した場合と、見たいシーンを通り過ぎてから指示を出した場合のどちらの場合でも見たいシーンが再生可能になる。
【００６３】
ステップＳ５２０では、操作部１７０が、ユーザが２画面のうちどちらの画面を１画面で再生するか選択する選択指令を受け付ける。このステップは、図６の（ｄ）の表示になる。太枠６−ｄ１は、再生を行う画面を選択するための選択枠である。ユーザは、２画面のうち再生を行い見たいシーンがどちらの画面にあるか選択するための選択指令を操作部１７０へ入力する。ＣＰＵ１１０は、選択指令を操作部１７０から受け、受けた選択指令に応じて選択指示を生成し、処理をステップＳ５３０に移す。
【００６４】
ステップＳ５３０では、ＣＰＵ１１０が、２画面のうちユーザが選択した画面の再生方向が時間的順方向であるか否かを判断する。ＣＰＵ１１０は、ユーザが順方向再生を行っている画面を選択した場合、処理をステップＳ５５０に移す。ＣＰＵ１１０は、ユーザが逆方向再生を行っている画面を選択した場合、処理をステップＳ５４０に移す。
【００６５】
ステップＳ５４０では、ＣＰＵ１１０が、２画面のうち時間的逆方向の再生を行っている画面を１画面で再生するために再生方向を逆にして、その画面の再生方向を時間的順方向に変更する。
【００６６】
ステップＳ５５０では、ＣＰＵ１１０が、映像データを２画面で表示している状態から１画面で表示している状態へ切り替えて、映像データを再生する。このステップでの映像データの再生方向は、時間的順方向となる。このとき、１つのディスプレイ１５０上では、図６の（ｅ）の表示になる。
【００６７】
なお、本実施形態では、タイミング指示に対する動作として、早送り中の再生ボタンの操作で必ず２画面の表示になるようにしているが、早送りや巻き戻しの速度が一定の値以上速かったときに２画面の表示にするようにしてもよい。あるいは、タイミング指示に対する動作として、早送りや巻き戻しの速度ではなく、早送りや巻き戻しからの再生操作で２画面の表示になるようにしてもよい。あるいは、タイミング指示に対する動作として、再生している映像データの再生タイミングが映像データにおける先頭や終端だった場合に、２画面にしないように制御することも出来る。あるいは、タイミング指示に対する動作として、映像データの長さ（再生時間）が一定以上の長さの場合に２画面になるように制御することも出来る。また、それ以外の条件で２画面表示になるタイミング指示としても良い。
【００６８】
また、本実施形態では、２画面での映像データの再生操作で２画面の映像が同時に制御できるように説明をしたが、個別に再生操作することを可能にしても良い。
【００６９】
また、本実施形態では、２画面で映像データを異なる再生方向で表示しているときから１画面での表示に移るためには、かならず２画面のどちらかを選択するように説明をしている。これ以外に、１画面での表示に移る処理として、２画面での再生処理を中断し１画面での表示に戻るようなキャンセル処理を実施しても良い。
【００７０】
また、本実施形態では、１画面から２画面で映像を再生する時に映像の再生速度が等倍速になるように説明をしているが、必ずしも等倍速にする必要性はない。同様に、２画面から１画面を選択した操作でも再生速度を必ず等倍速にする必要はない。１画面から２画面に切替わった時および２画面から１画面に切替わった時の再生速度は、切替わる前の再生速度、早送り巻き戻し速度、再生している映像データにおける再生タイミングに応じて決定してもよい。
【００７１】
また、本実施形態では、２画面で映像を再生中に２画面のどちらかの映像がファイルの先頭および終端にたどり着いたときの動作に関して、次に示す処理がある。ファイルが先頭および終端にたどり着いた場合は、再生が継続している画面を自動的に１画面にし再生を継続する方法、２画面での再生をポーズさせる方法、先頭および終端にたどり着いた画面をタイミング指示位置からループ再生する方法がある。または、それ以外の方法をでも良い。
【００７２】
また、本発明の目的は、以下の処理を実行することによっても達成される。
【００７３】
即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００７４】
この場合、記憶媒体から読み出されたプログラムコード自体が前述した実施の形態の機能を実現することになり、そのプログラムコード及び該プログラムコードを記憶した記憶媒体は本発明を構成することになる。
【００７５】
また、プログラムコードを供給するための記憶媒体としては、次のものを用いることができる。例えば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、、ＤＶＤ−Ｒ、ＤＶＤ＋Ｒ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００７６】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００７７】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【００７８】
以上の例によって、早送りや巻き戻し操作で見たいシーンの頭出し処理によって大幅に見たいシーンが前後どちらかにずれてしまった場合でも対応できるようになる。
【００７９】
本実施形態の映像再生装置は、以上のような動作となる。以上説明したように本実施形態の映像再生装置を使うことで、ユーザは、大幅に見たいシーンが前後どちらかにずれてしまった場合に対応出来るようになる。
【００８０】
また、本実施形態では、早送りや巻き戻し操作から再生操作で、２画面に切替わり再生操作をした前後の映像を同時に確認できる。
【００８１】
更に、２画面を同時に早送り、巻き戻し、コマ送り、スロー再生することで、見たいシーン付近を詳しく確認できる。または、２画面の映像を個別に再生操作することで２画面の映像を個別により詳しく確認できる。
【００８２】
更に、２画面中に片方の映像がファイルの先頭、終端にたどり着いた場合は、次の方法で見たいシーン付近をよく確認できる。再生が継続している画面を１画面にする方法を実施することで再生されていないほうの映像を継続して確認できる。２画面に切り替えた再生タイミングでポーズする方法では、ユーザに次の操作を促し再度２画面での確認操作をすることが出来る。ファイルの先頭、終端にたどり着いた映像データをループ再生させることで、ファイルの先頭、終端にたどり着いた映像の再確認と再生されていないほうの映像の残り部分の確認とを同時にすることが出来る。
【００８３】
更に、１画面から２画面に切替わった時および２画面から１画面に切替わった時の再生速度を、切替わる前の再生速度、早送り速度、巻き戻し速度、映像データの再生タイミングに応じて決定してもよい。この制御を次のように行うことで、見たいシーンにすばやく近づくことが可能になる。２０倍速の早送りで大幅に見たいシーンからずれた場合、２画面での再生を等倍速ではなく、１０倍速で行う制御がある。
【００８４】
更に、音声については、順方向のみ再生することで２画面再生で順方向再生の映像をよりよく確認できる。無音にすることで、逆方向再生の映像を注視したい場合に再生映像とは異なる音声で邪魔にならないようにも出来る。
【００８５】
次に、本発明の第２実施形態に係る映像再生装置について、図７及び図８を用いて説明する。図７は、本発明の第２実施形態に係る映像再生装置の動作を示すフローチャートである。図８は、本発明の第２実施形態に係る映像再生装置により表示される画面を示す図である。以下では、第１実施形態と異なる部分を中心に説明する。
【００８６】
第２実施形態に係る映像再生装置は、その動画が、図７に示すように、第１実施形態と異なる。本実施形態では、スライダ操作によって再生を開始したい位置を決定し、その後ボタンによるタイミング指示でタイミング指示位置から前後に一定の時間離れた位置から逆方向再生と順方向再生とを行い、タイミング指示位置に近づく再生例を示す。
【００８７】
ステップＳ７１０は、図２のステップＳ２１０に対応する処理である。
【００８８】
ステップＳ７２０は、図２のステップＳ２２０に対応する処理である。
【００８９】
ステップＳ７３０は、図２のステップＳ２３０に対応する処理である。
【００９０】
ステップＳ７４０では、操作部１７０が、スライダ操作によって映像の表示位置を決定するユーザ操作を受け付ける。スライダ操作により、ユーザが、再生を開始したいおおよその位置を探す操作を行う。
【００９１】
図１のディスプレイ１５０上には、図８の（ａ）の画面が表示される。図８の（ａ）において、領域８−ａ１は、スライダアイコンである。領域８−ａ２は、再生のコントロールボタンである。図中左から巻き戻しボタン、一時停止ボタン、再生ボタン、早送りボタン、２画面で近づくボタン８−ａ４、２画面で遠ざかるボタン８−ａ５がある。
【００９２】
８−ａ４の２画面で近づくボタンを押すことで、現在位置から前後に一定の時間離れた位置からボタンが押されたとき表示していた映像データの再生タイミングに向かって２画面で再生を開始する。
【００９３】
８−ａ５の２画面で遠ざかるボタンを押すことで、現在位置から２画面で時間的前後に遠ざかる方向に再生を開始する。
【００９４】
ステップＳ７５０では、ＣＰＵ１１０が、スライダ操作で位置を決定した時に２画面での再生を開始するかどうかを判断する。ボタン操作だけでなく、スライダで位置決めをした直後に２画面で再生させるかどうかの設定を持たせたときの処理となる。ＣＰＵ１１０は、スライダで位置を決定後２画面で再生させる設定になっている場合、処理をステップＳ７７０に移し、２画面で再生させる設定になっていない場合、処理をステップＳ７６０に移す。
【００９５】
ステップＳ７６０では、ＣＰＵ１１０が、２画面での再生を開始を指示するボタン、２画面で近づくボタン８−ａ４、および２画面で遠ざかるボタン８−ａ５が押されたかどうかを判断する。ＣＰＵ１１０は、２画面で近づくボタン８−ａ４、２画面で遠ざかるボタン８−ａ５が押された場合、処理をステップＳ７７０に移し、それらのボタンが押されなかった場合、処理をステップＳ７４０に移す。本実施形態では、８−ａ４および、８−ａ５のボタンを押したときに表示していた映像の位置をタイミング指示位置とする。
【００９６】
ステップＳ７７０では、ＣＰＵ１１０が、２画面での再生方法を判断する。ＣＰＵ１１０は、２画面で近づくボタン８−ａ４、２画面で遠ざかるボタン８−ａ５のどちらのボタンが押下されたのかを判断する。ＣＰＵ１１０は、２画面で近づくボタン８−ａ４が押された場合、処理をステップＳ７８０に移す。ＣＰＵ１１０は、２画面で遠ざかるボタン８−ａ５が押された場合、処理をステップＳ７９０に移す。
【００９７】
ステップＳ７８０では、ＣＰＵ１１０が、タイミング指示の位置から２画面で指定時間分前後方向にずらした位置からタイミング指示位置に向かって２画面でタイミング指示位置に近づく再生を開始する処理を行う。この処理で、図８の（ｂ）の画面が表示される。図８の（ｂ）の左の画面では、タイミング指示位置より過去の画面で順方向再生、右の画面でタイミング指示位置より未来の画面で、逆方向再生を行う。本動作例では、指定時間分前後方向にずらした位置として２０秒ずらすこととする。指定時間分前後方向にずらした位置は、決まった固定の時間、ユーザが設定した時間、動画の長さで決定しても良い。または、それ以外の方法で決定しても良い。
【００９８】
ステップＳ７９０は、タイミング指示の位置から２画面で前後に遠ざかる方向に再生を開始する処理である。この処理で、図８の（ｂ）の画面が表示される。図８の（ｂ）の左の画面では、タイミング指示位置より過去の画面で時間的逆方向の再生が行われ、右の画面では、タイミング指示位置より未来の画面で時間的順方向の再生が行われる。
【００９９】
ステップＳ８００では、操作部１７０が、ユーザが２画面のうちどちらの画面を１画面で再生することにするか選ぶための指示を受け付ける。このステップでは、１つのディスプレイ１５０上では、図８の（ｃ）の表示になる。太枠８−ｃ１は、再生を行う画面を選択するための選択枠である。ユーザが１画面で再生する映像を選択することで、ステップＳ８１０に移る。
【０１００】
ステップＳ８１０では、ＣＰＵ１１０が、２画面からユーザが操作部１７０を介して選択した画面を選択した時の位置から順方向で再生するために再生方向を判断する。ユーザが順方向再生を行っている画面を選択した場合、ＣＰＵ１１０は、処理をステップＳ８３０に移す。ユーザが逆方向再生を行っている画面を選択した場合、ＣＰＵ１１０は、処理をステップＳ８２０に移す。
【０１０１】
ステップＳ８２０では、ＣＰＵ１１０が、２画面のうち時間的逆方向の再生を行っている画面を１画面で再生するために再生方向を逆にすることにより、その１画面の再生方向を時間的順方向に変更する。
【０１０２】
ステップＳ８３０では、ＣＰＵ１１０が、映像データを２画面で再生表示した状態から１画面で再生表示した状態にする。このステップでの映像の再生方向は、時間的順方向となる。このとき、１つのディスプレイ１５０上では、図８の（ｄ）の表示になる。
【０１０３】
ステップＳ８４０は、図２のステップＳ２８０に対応する処理である。
【０１０４】
本実施形態のタイミング指示の位置へ２画面で近づく再生では、タイミング指示の位置と指定時間分前後方向にずらした位置の間に見たいシーンがなければ、ユーザは見たいシーンにたどり着けなくなる問題が発生する。これを解決するために、２画面で近づく再生でタイミング指示位置まで再生をした場合、指定時間分前後方向にずらした位置を２０秒から６０秒にずらして再度タイミング位置に２画面で近づく再生を行こととする。ここでは、指定時間分前後方向にずらした位置をさらに６０秒に遠ざけたが、これ以外の秒数でも良い。これ以外の方法として、指定時間分前後方向にずらした位置からタイミング指示位置から離れる方向に２画面で再生を行う方法がある。もしくは、ユーザが、タイミング指示位置から指定時間分前後方向にずらした位置の間に見たいシーンがないと判断出来たら映像の再生方向を反転するような操作手段を用意してもよい。または、それ以外の方法でも良い。
【０１０５】
なお、本実施形態では、２画面での再生中にユーザが何も操作しなかった場合について、次に示す処理がある。ユーザが指定した時間、何も操作しなかった場合、２画面に切り替える前の再生方向の映像が１画面に自動で切替わり再生を継続する方法、再生速度を自動で早くする方法がある。または、それ以外の方法をでも良い。
【０１０６】
また、本実施形態では、スライダ操作でユーザがどのくらい位置がずれるか見当をつけて２画面で近づく再生を行うか、２画面で遠ざかる再生を行うかを選択できる。
【０１０７】
更に、２画面の画面構成で左側が時間に対してタイミング指示位置より過去、右側が時間に対してタイミング指示位置より未来とした。時間を基準に左右の画面が決定されているため、２画面で近づく再生および２画面で遠ざかる再生を繰り返しても判りやすい表示を実現できる。
【０１０８】
更に、２画面で近づく再生で見たいシーンがなかった場合は、自動で指定時間分前後方向にずらした位置をさらに遠ざけることで、最初に設定された固定の時間にとらわれることなく見たいシーン付近の映像を確認できる。
【０１０９】
更に、ユーザが指定時間何も操作しなかった場合に次の方法で見たいシーン付近を確認できる。
【０１１０】
２画面に切り替える前の再生方向の映像が一画面に自動で切替わり再生を継続する方法によって、２画面になる前に見ていた映像をそのまま継続して視聴することが出来る。再生速度を自動で早くする方法によって、２画面で見ているそれぞれの位置の映像の更に先の映像をすばやく見ることが出来る。
【０１１１】
次に、本発明の第３実施形態に係る映像再生装置を、図９〜図１２を用いて説明する。以下では、第１実施形態と異なる部分を中心に説明する。
【０１１２】
第３実施形態では、映像再生装置（映像再生システム）がデジタルビデオカメラとリモコンとで構成される例である。デジタルビデオカメラには、映像を撮影する撮影モードと撮影した映像を再生する再生モードがあり、撮影した映像を再生する再生モード時に映像を２画面で異なる再生方向に表示する例を示す。本実施形態では、２画面で異なる再生方向に表示する再生から片方の画面を選んだあと、再度、２画面で異なる再生方向に表示する動作例を示す。撮影モードの動作は、本発明との関連が少ないため説明を省略する。本実施形態におけるデジタルビデオカメラとリモコンとの外観構成を図９に示す。すなわち、図９は、本発明の第３実施形態に係る映像再生装置を構成するデジタルビデオカメラとリモコンとの外観構成を示す図である。
【０１１３】
図９の（ａ）は、デジタルビデオカメラのユーザインターフェイスを示している。
【０１１４】
デジタルビデオカメラのユーザインターフェイスは、撮影映像や再生映像を表示する液晶ディスプレイ９−ａ１と操作部９−ａ２から９−ａ１４で構成される。操作部９−ａ２から９−ａ１４について説明を行う。
【０１１５】
９−ａ２は、再生モードで利用する巻き戻しボタンである。９−ａ３は、再生モードで利用する一時停止ボタンである。９−ａ４は、再生モードで利用する再生ボタンである。９−ａ５は、再生モードで利用する早送りボタンである。９−ａ６は、撮影モードで映像の撮影を開始する録画ボタンである。９−ａ７は、撮影モードと再生モードを切り替えるモード切替スイッチである。９−ａ８は、ｍｅｎｕボタンである。９−ａ９は、操作ボタンである。９−ａ１０は、電源ボタンである。
【０１１６】
操作ボタン９−ａ９は、上下左右の４つの操作ボタンと真ん中のｓｅｔボタンの５つのボタンで構成される。ｍｅｎｕボタン９−ａ８と操作ボタン９−ａ９でデジタルビデオカメラ設定操作を行うことが出来る。モード切替スイッチ９−ａ７で撮影モードと再生モードを切り替えることが出来るが、撮影モードは本発明には関連が少ないため説明を省略し再生モードの場合での説明を行う。
【０１１７】
図９の（ｂ）は、リモコンのユーザインターフェイスを示している。
【０１１８】
リモコンのユーザインターフェイスは、９−ｂ１から９−ｂ７の操作部で構成される。操作部９−ｂ１から９−ｂ７について説明を行う。
【０１１９】
９−ｂ１は、撮影モードで映像の撮影を開始する録画ボタンである。９−ｂ２は、再生モードで利用する再生ボタンである。９−ｂ３は、再生モードで利用する巻き戻しボタンである。９−ｂ４は、再生モードで利用する早送りボタンである。９−ｂ５は、再生モードで利用する一時停止ボタンである。９−ｂ６は、ｍｅｎｕボタンである。９−ｂ７は、操作ボタンである。
【０１２０】
操作ボタン９−ｂ７は、上下左右の４つの操作ボタンと真ん中のｓｅｔボタンの５つのボタンで構成される。ｍｅｎｕボタン９−ｂ６と操作ボタン９−ｂ７でデジタルビデオカメラ設定操作を行うことが出来る。
【０１２１】
カメラのボタンとリモコンのボタンは、同じ機能がそれぞれ対応する構成となっている。ここでは、カメラのボタン操作を例に説明を行うがカメラのボタンでも同様の操作が可能である。
【０１２２】
図１０に、本発明の第３実施形態に係る映像再生装置を構成するデジタルビデオカメラとリモコンとのブロック図を示す。図１０（ａ）は、デジタルビデオカメラのブロック図である。
【０１２３】
１０−ａ１は、その動作を制御する演算処理装置（ＣＰＵ）である。
【０１２４】
１０−ａ２は、プログラムが格納されているＲＯＭである。ＲＯＭ１０−ａ２は、後述する映像処理プログラムがＣＰＵ１０−ａ１に読み取り可能なプログラムコードとして格納されており、このプログラムコードをＣＰＵ１０−ａ１が実行する構成になっている。ＲＯＭ１０−ａ２の映像再生処理プログラムは、映像データを再生して表示部に表示させる映像再生装置を、タイミング指示手段と、タイミング指示手段に応じた特定の位置から映像データを２画面で異なる再生方向に表示する２画面再生手段として機能させる。
【０１２５】
１０−ａ３は、ＲＡＭである。１０−ａ４は、撮影映像を記憶するハードディスクである。１０−ａ５は、撮影映像を記憶する外部記録媒体（外部メディア、記憶装置）を扱うメディアドライブである。１０−ａ６は、リモコンとの通信を行う赤外線や無線などからなる通信部である。１０−ａ７は、表示部である液晶ディスプレイである。１０−ａ８は、音の出力を行うスピーカである。１０−ａ９は、図９の（ａ）の操作部９−ａ２から９−ａ１０に対応する。１０−ａ１０は、被写体の光学像を電気信号に変換する撮像素子である。１０−ａ１１は、録音を行うマイクである。１０−ａ１２は、各処理を相互に接続するための内部バスである。
【０１２６】
図１０（ｂ）は、リモコンのブロック図である。
【０１２７】
図１０（ｂ）において１０−ｂ１は、その動作を制御する演算処理装置（ＣＰＵ）である。
【０１２８】
１０−ｂ２は、リモコンがデジタルビデオカメラにユーザ操作を指示するプログラムがＣＰＵ１０−ｂ１に読み取り可能なプログラムコードとして格納されているＲＯＭである。
【０１２９】
１０−ｂ３は、ＲＡＭである。１０−ｂ４は、図９の（ｂ）の操作部９−ｂ１から９−ｂ７に対応する。１０−ｂ５は、デジタルビデオカメラとの通信を行う赤外線や無線などからなる通信部である。１０−ｂ６は、各処理を相互に接続するための内部バスである。
【０１３０】
図９のデジタルビデオカメラとリモコンとの動作について説明する。本実施形態のデジタルビデオカメラは、ハードディスク１０−ａ４および外部記録媒体（外部メディア、記憶装置）を扱うメディアドライブ１０−ａ５に映像を記録する撮影モードと、映像を再生する再生モードの２つのモードがある。撮影モードの動作は、本発明との関連が少ないため説明を省略し、本発明に関連のある再生モード時での処理プログラムを説明する。
【０１３１】
本実施形態に係る映像再生装置の映像再生処理プログラムに従った動作について、図１１及び図１２を用いて説明する。図１１は、本発明の第３実施形態に係る映像再生装置の動作を示すフローチャートである。図１２は、本発明の第３実施形態に係る映像再生装置により表示される画面を示す図である。
【０１３２】
ステップＳ１１１０は、図２のステップＳ２１０に対応する処理である。
【０１３３】
ステップＳ１１２０は、図２のステップＳ２２０に対応する処理である。
【０１３４】
ステップＳ１１３０は、図２のステップＳ２３０に対応する処理である。
【０１３５】
ステップＳ１１４０は、図２のステップＳ２４０に対応する処理である。
【０１３６】
ステップＳ１１５０では、ＣＰＵ１０−ａ１が、映像を等倍速より早い速度で再生しているときにユーザが見たいシーン付近で行った再生操作をタイミング指示位置として２画面で異なる再生方向に表示する処理を行う。ユーザがリモコン図９の（ｂ）の巻き戻しボタン９−ｂ３、早送りボタン９−ｂ４を操作し映像を等倍速より早い速度で再生を行う。次に再生ボタン９−ｂ２が押された時に表示していた映像の位置から逆方向再生と順方向再生を行う。この操作で、ディスプレイ１０−ａ７上では、図１２の（ａ）の画面が表示される。領域１２−ａ１は、現在の再生の状態を示す表示である。図中左からスロー、一時停止、再生、早送りの各状態を示すことが出来る。この例では、再生状態となっている。リモコン図９の（ｂ）には、スローボタンがないため２画面中は、巻き戻しボタン９−ｂ３でその機能が代用できるものとするが、スローボタンをリモコンに実装してもかまわない。
【０１３７】
ステップＳ１１６０では、操作部１０−ｂ４が、ユーザ操作による再生速度の変更指令を受け付ける。ユーザは、リモコンのスローボタン（巻き戻しボタン）９−ｂ３、早送りボタン９−ｂ４、一時停止ボタン９−ｂ５を操作し２画面での映像の再生速度を任意に変更する。速度変更を可能にすることにより、ユーザは、見たいシーンから大幅に離れた箇所で２画面に変更してしまったとしてもすばやく見たいシーンの付近まで映像を進めることが出来る。ここでは、このステップで早送り操作をしたものとする。
【０１３８】
ステップＳ１１７０では、操作部１０−ｂ４が、図１２の（ｂ）の２画面のうち見たいシーンを選択する選択指令を受け付ける。領域１２−ｂ１は、現在の再生の状態を示す表示である。図中左からスロー、一時停止、再生、早送りの各状態を示すことが出来る。この例では、早送り状態となっている。太枠１２−ｂ２は、再生を行うように選択されている画面を示すための選択枠である。ユーザが１画面で再生する映像をリモコンの操作ボタン９−ｂ７の左ボタン、右ボタン操作で選択し、操作ボタン９−７（ｂ）のｓｅｔボタンで決定することに応じて、ＣＰＵ１０−ａ１は、処理をステップＳ１１８０に移す。ＣＰＵ１０−ａ１は、選択が行われない場合、処理をステップＳ１１６０に戻す。
【０１３９】
ステップＳ１１８０では、ＣＰＵ１０−ａ１が、ステップＳ１１７０で選択した画面を１画面で再生を行うかどうかを判断する。ＣＰＵ１０−ａ１は、１画面で再生を行う条件が満たされていた場合、処理をステップＳ１１９０に進め、その条件を満たしていない場合、処理をステップＳ１１５０に戻す。
【０１４０】
ここでは、ステップＳ１１９０の条件を満たす操作として、再生速度が等倍速以下で２画面のうち片方の画面を選ぶ。このとき図１２の（ｃ）の表示となる。ステップＳ１１９０の条件を満たさない操作として、２画面で早送り中に片方の画面を選ぶと、選んだ画面の表示している再生タイミングから１画面で時間的順方向の再生が開始される。
【０１４１】
本実施形態では、１画面で再生を行う条件として、２つの再生画面から１画面を選んだときの再生速度を条件にした。再生速度を条件にすることで２画面から１画面を選んだシーンが、再生速度が速いことによりユーザの見たいシーンを通り過ぎてしまう場合、見たいシーンの手前で止めてしまう場合でも２画面で再度見たいシーンの頭出しを繰り返し行うことが出来る。これ以外の条件として、１画面を選ぶときの操作方法によって決定してもよい。また、それ以外の方法でも良い。
【０１４２】
ステップＳ１１９０では、ＣＰＵ１０−ａ１が、ユーザが選択した見たいシーンを１画面で時間的順方向に再生する。
【０１４３】
ユーザは、見たいシーンを２画面で再生し、その後、２画面における再生速度を変更して２画面での再生を繰り返す。この操作で見たいシーンまで再生することが出来る。
【０１４４】
ステップＳ１２００では、ＣＰＵ１０−ａ１が、映像データの再生を終了する。ユーザは、ｍｅｎｕボタン９−ｂ６と操作ボタン９−ｂ７で映像再生を終了する指令を入力する。ＣＰＵ１０−ａ１は、その終了する指令を受けて、映像データの再生処理を終了する。
【０１４５】
なお、本実施形態では、画面の選択と見たいシーンの決定と２段階に分けて説明したが、左右の画面を選択することで見たいシーンとして決定されたものとしても良い。
【０１４６】
また、２画面のうちどちらかの画面を選択する操作においてテレビ出力を付加したデジタルビデオカメラにおいて、太枠１２−ｂ２が表示されている映像のみが出力するような機能を実施しても良い。
【０１４７】
また、本実施形態では、２画面での映像の再生速度に応じて、再度２画面になる動作を制御することでユーザが見たいシーンから大幅にずれた位置から再生してしまうときのみ再度２画面再生を行う。したがって、効率よく見たいシーンの頭出しを行うことが出来る。
【０１４８】
更に、２画面から見たい画面を選択するときに左右のボタンを押すことで見たい画面を決定とすることで、操作手順を減らすことも出来る。
【０１４９】
更に、テレビ出力機能を付加することで２画面の画面の中でより注目したい画面をテレビに出力し、別画面で確認することも可能である。
【図面の簡単な説明】
【０１５０】
【図１】本発明の第１実施形態に係る映像再生装置１００の構成を示す図。
【図２】本発明の第１実施形態に係る映像再生装置１００の動作を示すフローチャート。
【図３】本発明の第１実施形態に係る映像再生装置１００により表示される画面を示す図。
【図４】本発明の第１実施形態に係る映像再生装置１００により表示される画面を示す図。
【図５】図２のステップＳ２６０における処理の詳細を示す図。
【図６】本発明の第１実施形態に係る映像再生装置１００により表示される画面を示す図。
【図７】本発明の第２実施形態に係る映像再生装置の動作を示すフローチャート。
【図８】本発明の第２実施形態に係る映像再生装置により表示される画面を示す図。
【図９】本発明の第３実施形態に係る映像再生装置を構成するデジタルビデオカメラとリモコンとの外観構成を示す図。
【図１０】本発明の第３実施形態に係る映像再生装置を構成するデジタルビデオカメラとリモコンとのブロック図。
【図１１】本発明の第３実施形態に係る映像再生装置の動作を示すフローチャート。
【図１２】本発明の第３実施形態に係る映像再生装置により表示される画面を示す図。
【符号の説明】
【０１５１】
１００  映像再生装置
１１０、１０−ａ１  ＣＰＵ
【図１】
2010161743.tif 000003
【図２】
2010161743.tif 000004
【図３】
2010161743.tif 000005
【図４】
2010161743.tif 000006
【図５】
2010161743.tif 000007
【図６】
2010161743.tif 000008
【図７】
2010161743.tif 000009
【図８】
2010161743.tif 000010
【図９】
2010161743.tif 000011
【図１０】
2010161743.tif 000012
【図１１】
2010161743.tif 000013
【図１２】
2010161743.tif 000014